(57)【要約】【課題】接続されたプリンタにない機能を補うことができる画像編集装置、画像編集方法、画像編集プログラムおよび記録媒体を提供する。【解決手段】画像編集装置の画像編集手段２は、入力する画像情報に基づく画像の印刷様式を選択させる印刷様式選択手段２５４と、インターフェースに接続されたプリンタで実行可能な画像加工の機能種別を取得する機能種別取得手段２５２と、取得した機能種別に基づいて、選択された印刷様式がプリンタで実行可能か否かを判定する機能判定手段２５３と、実行可能であると判定されると、画像情報に応じた印刷画像情報と、選択された印刷様式に応じた付加情報とをプリンタに出力する対応情報出力手段２５５と、実行可能でないと判定されると、画像情報に基づく画像を、選択された印刷様式に応じて編集した編集済印刷画像情報を生成し、当該編集済印刷画像情報をプリンタに出力する非対応情報出力手段２５６とを備える。【選択図】  図３
2007011976.tif 000002
【特許請求の範囲】
【請求項１】
入力する画像情報を編集する画像編集手段と、プリンタと通信接続されるインターフェースとを備えた画像編集装置であって、
前記画像編集手段は、
前記画像情報に基づく画像の印刷様式を選択させる印刷様式選択手段と、
前記インターフェースに接続された前記プリンタで実行可能な画像加工の機能種別を取得する機能種別取得手段と、
取得した前記機能種別に基づいて、選択された前記印刷様式が前記プリンタで実行可能か否かを判定する機能判定手段と、
実行可能であると判定されると、前記画像情報に応じた印刷画像情報と、選択された前記印刷様式に応じた付加情報とを前記プリンタに出力する対応情報出力手段と、
実行可能でないと判定されると、前記画像情報に基づく画像を、選択された前記印刷様式に応じて編集した編集済印刷画像情報を生成し、当該編集済印刷画像情報を前記プリンタに出力する非対応情報出力手段とを備えることを特徴とする画像編集装置。
【請求項２】
請求項１に記載の画像編集装置において、
前記画像情報に基づく画像を表示する画像表示手段を備え、
前記印刷様式選択手段は、
前記画像表示手段に表示された画像の印刷範囲を設定させる印刷範囲設定部を備え、
前記機能判定手段は、
前記機能種別に、前記プリンタに入力する画像情報に基づく画像のうち、前記付加情報に含まれる範囲情報で指定された範囲の印刷を実行する範囲指定印刷機能が含まれるか否かを判定する範囲指定印刷機能判定部を備え、
前記非対応情報出力手段は、
前記範囲指定印刷機能が実行可能でないと判定されると、前記画像情報に基づく画像の前記印刷範囲に応じた画像情報を生成して、当該画像情報を前記編集済印刷画像情報として前記プリンタに出力する印刷範囲画像出力部を備えることを特徴とする画像編集装置。
【請求項３】
請求項２に記載の画像編集装置において、
前記対応情報出力手段は、
前記範囲指定印刷機能判定部により、前記範囲指定印刷機能が実行可能であると判定されると、前記画像情報に基づく画像の前記印刷範囲の座標情報を、前記付加情報に含めて前記プリンタに出力する座標情報出力部を備えることを特徴とする画像編集装置。
【請求項４】
入力する画像情報を編集する画像編集手段と、プリンタと通信接続されるインターフェースとを備えた画像編集装置に用いられ、前記プリンタに出力する前記画像情報に基づく画像の編集を行う画像編集方法であって、
前記画像編集手段に、
前記画像情報に基づく画像の印刷様式を選択させる印刷様式選択ステップと、
前記インターフェースに接続された前記プリンタで実行可能な画像加工の機能種別を取得する機能種別取得ステップと、
取得した前記機能種別に基づいて、選択された前記印刷様式が前記プリンタで実行可能か否かを判定する機能判定ステップと、
実行可能であると判定されると、前記画像情報に応じた印刷画像情報と、選択された前記印刷様式に応じた付加情報とを前記プリンタに出力する対応情報出力ステップと、
実行可能でないと判定されると、前記画像情報に基づく画像を、選択された前記印刷様式に応じて編集した編集済印刷画像情報を生成し、当該編集済印刷画像情報を前記プリンタに出力する非対応情報出力ステップとを実行させることを特徴とする画像編集方法。
【請求項５】
入力する画像情報を編集する画像編集手段と、プリンタと通信接続されるインターフェースとを備えた画像編集装置に用いられ、前記プリンタに出力する前記画像情報に基づく画像の編集を行うために、前記画像編集手段上で実行可能な画像編集プログラムであって、
前記画像編集手段に、
前記画像情報に基づく画像の印刷様式を選択させる印刷様式選択ステップと、
前記インターフェースに接続された前記プリンタで実行可能な画像加工の機能種別を取得する機能種別取得ステップと、
取得した前記機能種別に基づいて、選択された前記印刷様式が前記プリンタで実行可能か否かを判定する機能判定ステップと、
実行可能であると判定されると、前記画像情報に応じた印刷画像情報と、選択された前記印刷様式に応じた付加情報とを前記プリンタに出力する対応情報出力ステップと、
実行可能でないと判定されると、前記画像情報に基づく画像を、選択された前記印刷様式に応じて編集した編集済印刷画像情報を生成し、当該編集済印刷画像情報を前記プリンタに出力する非対応情報出力ステップとを実行させることを特徴とする画像編集プログラム。
【請求項６】
請求項５に記載の画像編集プログラムをコンピュータ読取可能に記録したことを特徴とする記録媒体。
【発明の詳細な説明】
【技術分野】
【０００１】
本発明は、入力する画像情報を編集する画像編集手段と、プリンタと通信接続されるインターフェースとを備えた画像編集装置、当該画像編集装置に用いられる画像編集方法、画像編集プログラム、および、この画像編集プログラムをコンピュータ読取可能に記録した記録媒体に関する。
【背景技術】
【０００２】
従来、入力する画像情報を編集して、当該編集した画像情報を外部機器に出力可能に構成された画像編集装置が知られている。このような画像編集装置は、ＨＤＤ（Hard Disk Drive）等の記憶装置や、外部メディアとしてのメモリカードおよびＣＤ（Compact Disc）等の記録媒体に記録された画像情報を読み込んで、当該画像情報に応じた画像を編集して、当該画像編集装置に接続されたプリンタ等の外部機器に出力する。このような画像編集装置として、ＰＣ（Personal Computer）やデジタルカメラ等が挙げられ、このうち、デジタルカメラとして、撮像した画像を装置上で編集可能に構成されたものが考案されている（例えば、特許文献１参照）。
【０００３】
この特許文献１に記載のデジタルカメラは、撮像したオリジナル画像のある部分を拡大したりトリミングしたりしたい場合に、キーパッド等のユーザ・インターフェースを用いて、当該オリジナル画像の編集が可能に構成されている。例えば、オリジナル画像を拡大する場合、ユーザ・インターフェースで編集コマンドを入力して、所望の範囲の座標を確定させることで、編集済み画像ファイルを作成および記憶することができる。
【０００４】
一方、デジタルカメラとプリンタとを直接接続して印刷するための通信規格が提唱され、近年、多くのデジタルカメラおよびプリンタが当該通信規格を採用している。この通信規格は、デジタルカメラの画像ファイルを、ＰＣ等を介さずに直接プリンタに出力して印刷できるように策定されている。このため、デジタルカメラは、通信接続されたプリンタの印刷機能を取得して、当該プリンタが有している機能を用いてインデックス印刷や日付印刷等を実行することができる。
【０００５】
【特許文献１】特開２００３−３４８５３８号公報
【発明の開示】
【発明が解決しようとする課題】
【０００６】
しかしながら、前述の規格では、接続されたプリンタが有していない機能はデジタルカメラで利用することができないという問題がある。例えば、画像の所定範囲を切り出して印刷するクロッピング印刷という機能があるが、この機能は、前述の規格に対応したプリンタの全てが有しているというものではないため、デジタルカメラで撮像した画像をクロッピング印刷しようとしても、当該機能を有していないプリンタにおいては実行できないという問題がある。このような場合、特許文献１に記載のデジタルカメラで画像の編集を行って印刷するという方法もあるが、当該方法では、一度オリジナル画像から所望の範囲を拡大した編集済み画像ファイルを作成し、保存し直す必要があり、使用者にとって面倒であるという問題がある。
【０００７】
本発明の目的は、通信接続されたプリンタが有していない機能を補うことができる画像編集装置、画像編集方法、画像編集プログラムおよび記録媒体を提供することである。
【課題を解決するための手段】
【０００８】
前記した目的を達成するために、本発明の画像編集装置は、入力する画像情報を編集する画像編集手段と、プリンタと通信接続されるインターフェースとを備えた画像編集装置であって、前記画像編集手段は、前記画像情報に基づく画像の印刷様式を選択させる印刷様式選択手段と、前記インターフェースに接続された前記プリンタで実行可能な画像加工の機能種別を取得する機能種別取得手段と、取得した前記機能種別に基づいて、選択された前記印刷様式が前記プリンタで実行可能か否かを判定する機能判定手段と、実行可能であると判定されると、前記画像情報に応じた印刷画像情報と、選択された前記印刷様式に応じた付加情報とを前記プリンタに出力する対応情報出力手段と、実行可能でないと判定されると、前記画像情報に基づく画像を、選択された前記印刷様式に応じて編集した編集済印刷画像情報を生成し、当該編集済印刷画像情報を前記プリンタに出力する非対応情報出力手段とを備えることを特徴とする。
【０００９】
ここで、印刷様式とは、画像情報に基づく画像をどのように印刷するかを示すものである。
本発明によれば、プリンタが有していない機能を画像編集装置が補って印刷することができる。
すなわち、画像編集装置の印刷様式選択手段が、当該画像編集装置に入力する画像情報に基づく画像の印刷様式を選択させ、機能種別取得手段が、当該画像編集装置に接続されたプリンタの機能種別を取得する。そして、機能判定手段が、選択された印刷様式での印刷が、取得した機能種別を基に接続されたプリンタで実行可能か否かを判定する。ここで、機能判定手段が、当該プリンタで実行可能であると判定すると、対応情報出力手段が、画像編集装置に入力した画像情報に応じた印刷画像情報と、選択された印刷様式に応じた付加情報とをプリンタに出力する。一方、機能判定手段が、プリンタで実行可能でないと判定すると、非対応情報出力手段が、選択された印刷様式に応じて画像を編集して編集済印刷画像情報を生成し、当該編集済印刷画像情報をプリンタに出力する。
これによれば、プリンタが対応しない印刷様式が選択された場合に、画像編集装置の非対応情報出力手段が、入力した画像情報に基づく画像を当該印刷様式に応じて編集して編集済印刷画像情報を生成し、当該プリンタに出力することにより、当該プリンタが対応しない印刷様式での印刷を実現することができる。従って、画像編集装置が編集した画像情報を出力することにより、プリンタが実行できない印刷様式での印刷を実現することができ、当該プリンタの機能を補うことができる。
【００１０】
本発明では、前記画像情報に基づく画像を表示する画像表示手段を備え、前記印刷様式選択手段は、前記画像表示手段に表示された画像の印刷範囲を設定させる印刷範囲設定部を備え、前記機能判定手段は、前記機能種別に、前記プリンタに入力する画像情報に基づく画像のうち、前記付加情報に含まれる範囲情報で指定された範囲の印刷を実行する範囲指定印刷機能が含まれるか否かを判定する範囲指定印刷機能判定部を備え、前記非対応情報出力手段は、前記範囲指定印刷機能が実行可能でないと判定されると、前記画像情報に基づく画像の前記印刷範囲に応じた画像情報を生成して、当該画像情報を前記編集済印刷画像情報として前記プリンタに出力する印刷範囲画像出力部を備えることが好ましい。
【００１１】
本発明によれば、範囲指定印刷、すなわち、クロッピング印刷を実行できないプリンタが接続された場合でも、指定された印刷範囲に応じて画像を編集した編集済印刷画像情報を生成してプリンタに出力するので、擬似的にクロッピング印刷を実現することができる。
すなわち、範囲指定印刷機能判定部が、プリンタで範囲指定印刷が実行できないと判定した場合、非対応情報出力手段の印刷範囲画像出力部が、印刷様式選択手段の印刷範囲設定部が画像表示手段上で設定された画像の印刷範囲に応じた画像情報を生成して、編集済印刷画像情報としてプリンタに出力する。これによれば、当該プリンタに入力する画像情報は、既に印刷範囲に応じた画像の画像情報とされているので、プリンタが範囲指定印刷を行うことができない場合でも、画像編集装置に入力した画像情報に基づく画像のうち、指定された印刷範囲を印刷することができる。
また、このような場合、編集済印刷画像情報を保存する必要が無いので、機能を有していないプリンタでの範囲指定印刷操作を簡略化することができる。
さらに、画像編集装置が画像表示手段を備えていることにより、印刷範囲の設定を視覚的に判断しながら行うことができる。従って、印刷範囲の設定操作を容易に行うことができる。
【００１２】
本発明では、前記対応情報出力手段は、前記範囲指定印刷機能判定部により、前記範囲指定印刷機能が実行可能であると判定されると、前記画像情報に基づく画像の前記印刷範囲の座標情報を、前記付加情報に含めて前記プリンタに出力する座標情報出力部を備えることが好ましい。
本発明によれば、対応情報出力手段による処理を簡略化することができる。
すなわち、範囲指定印刷が可能なプリンタに対しては、対応情報出力手段の座標情報出力部が、印刷範囲として指定された画像の座標情報を付加情報としてプリンタに出力することにより、印刷画像情報と合わせて印刷範囲の画像をプリンタ側で生成することができ、これにより範囲指定した画像の印刷が可能とすることができる。従って、画像編集装置に入力する画像情報に基づく画像を編集する必要がないため、対応情報出力手段での処理を簡略化することができる。
【００１３】
また、本発明の画像編集方法は、入力する画像情報を編集する画像編集手段と、プリンタと通信接続されるインターフェースとを備えた画像編集装置に用いられ、前記プリンタに出力する前記画像情報に基づく画像の編集を行う画像編集方法であって、前記画像編集手段に、前記画像情報に基づく画像の印刷様式を選択させる印刷様式選択ステップと、前記インターフェースに接続された前記プリンタで実行可能な画像加工の機能種別を取得する機能種別取得ステップと、取得した前記機能種別に基づいて、選択された前記印刷様式が前記プリンタで実行可能か否かを判定する機能判定ステップと、実行可能であると判定されると、前記画像情報に応じた印刷画像情報と、選択された前記印刷様式に応じた付加情報とを前記プリンタに出力する対応情報出力ステップと、実行可能でないと判定されると、前記画像情報に基づく画像を、選択された前記印刷様式に応じて編集した編集済印刷画像情報を生成し、当該編集済印刷画像情報を前記プリンタに出力する非対応情報出力ステップとを実行させることを特徴とする。
【００１４】
本発明によれば、前述の画像編集装置と同様の効果を奏することができる。
すなわち、印刷様式選択ステップで、画像の印刷様式が選択され、機能種別取得ステップで、画像編集装置に接続されたプリンタの機能種別が取得される。この後、機能判定ステップで、選択された印刷様式とプリンタの機能種別とが対比されて、当該印刷様式での印刷がプリンタで実行可能か否かが判定される。ここで、実行可能と判定された場合、対応情報出力ステップが、画像編集装置に入力した画像情報に応じた印刷画像情報と、当該印刷様式に応じた付加情報とをプリンタに出力する。一方、実行可能でないと判定された場合、非対応情報出力ステップが、画像編集装置に入力した画像情報に基づく画像を編集して編集済印刷画像情報を生成して、当該編集済印刷画像情報をプリンタに出力する。
これによれば、画像編集装置で画像を編集して得た編集済印刷画像情報を、当該画像編集装置に接続されたプリンタに出力することにより、プリンタが有していない印刷機能を擬似的に実行することができる。従って、接続されたプリンタの機能を補うことができる。
【００１５】
また、本発明の画像編集プログラムは、入力する画像情報を編集する画像編集手段と、プリンタと通信接続されるインターフェースとを備えた画像編集装置に用いられ、前記プリンタに出力する前記画像情報に基づく画像の編集を行うために、前記画像編集手段上で実行可能な画像編集プログラムであって、前記画像編集手段に、前記画像情報に基づく画像の印刷様式を選択させる印刷様式選択ステップと、前記インターフェースに接続された前記プリンタで実行可能な画像加工の機能種別を取得する機能種別取得ステップと、取得した前記機能種別に基づいて、選択された前記印刷様式が前記プリンタで実行可能か否かを判定する機能判定ステップと、実行可能であると判定されると、前記画像情報に応じた印刷画像情報と、選択された前記印刷様式に応じた付加情報とを前記プリンタに出力する対応情報出力ステップと、実行可能でないと判定されると、前記画像情報に基づく画像を、選択された前記印刷様式に応じて編集した編集済印刷画像情報を生成し、当該編集済印刷画像情報を前記プリンタに出力する非対応情報出力ステップとを実行させることを特徴とする。
【００１６】
本発明によれば、前述の画像編集方法と同様の効果を奏することができる。
すなわち、画像編集装置で画像編集プログラムを実行し、当該画像編集装置により画像を編集することにより、プリンタが有していない機能を擬似的に実現することができる。従って、画像編集装置に接続されたプリンタの機能を補うことができる。
【００１７】
また、本発明の記録媒体は、前述の画像編集プログラムをコンピュータ読取可能に記録したことを特徴とする。
本発明によれば、記録媒体に記録された画像編集プログラムを読み取って実行することにより、前述の画像編集プログラムと同様の効果を奏することができる。
また、記録媒体として、ＤＡＴ（Digital Audio Tape）等の磁気テープ、ＦＤ（Flexible Disc）等の磁気ディスク、ＣＤ（Compact Disc）およびＤＶＤ（Digital Versatile Disc）等の光ディスク、光磁気ディスク、ハードディスク装置、および、半導体メモリ等を用いることができ、これらを利用して、画像編集プログラムをインストール、実行および配布することができる。
【発明を実施するための最良の形態】
【００１８】
以下、本発明の一実施形態を図面に基づいて説明する。
（１）画像編集装置１の構成
図１は、本実施形態の画像編集装置１の構成を示すブロック図である。
画像編集装置１は、内蔵されたＨＤＤ（Hard Disk Drive）５および外部メディアとしてのメモリカード９１に記憶された画像ファイルに基づく画像を編集可能に構成され、当該画像編集装置１に接続されたプリンタ９３（９３Ａ，９３Ｂ）に印刷情報を出力するものである。
この画像編集装置１は、図１に示すように、装置本体を制御する制御基板２と、画像を表示する画像表示部３と、操作パネル４、ＨＤＤ５と、カードスロット６と、リモコンインターフェース（以下、「リモコンＩＦ」と略す場合がある）７と、プリンタインターフェース（以下、「プリンタＩＦ」と略す場合がある）８とを備えて構成されている。
【００１９】
このうち、画像表示部３は、本発明の画像表示手段に相当し、詳しい図示を省略するが、画像を表示する液晶パネルと、当該液晶パネルを駆動制御する液晶駆動回路とを備えて構成されている。この画像表示部３の液晶駆動回路は、制御基板２に電気的に接続され、当該制御基板２から入力する画像情報に応じて液晶パネルを駆動制御して、当該液晶パネルにより画像を形成、表示する。
操作パネル４は、画像編集装置１の外面に露出して設けられ、キーパッド等の複数の機能キーが配設されている。この操作パネル４は、後述する制御基板２のシステムコントローラ２１に電気的に接続され、当該操作パネル４に配設された機能キーの入力操作に応じた操作信号をシステムコントローラ２１に出力する。
【００２０】
ＨＤＤ５は、画像編集装置１に内蔵されており、複数の画像ファイルが記憶および読取可能に構成されている。また、カードスロット６は、画像編集装置１の外面に露出して設けられ、外部メディアとしてのメモリカード９１が挿抜自在に構成され、当該メモリカード９１に記憶された画像ファイルを読出可能に構成されている。
これらＨＤＤ５およびカードスロット６は、制御基板２のシステムコントローラ２１に電気的に接続されており、当該システムコントローラ２１から入力する制御信号に基づいて、画像ファイルの読取を行い、読み取った画像ファイルのデータをシステムコントローラ２１に出力する。
【００２１】
リモコンＩＦ７は、詳しい図示を省略するが、リモコン９２からの赤外線信号を受光する受光部、および、当該受光部で受信した赤外線信号を内部処理可能な操作信号にデジタル変換するモジュールを備えて構成され、当該制御信号を制御基板２のシステムコントローラ２１に出力する。ここで、リモコン９２には、操作パネル４に配設された機能キーと同様のキーが配設され、当該キーの入力操作に応じた赤外線信号を出力するように構成されている。
【００２２】
プリンタＩＦ８は、本発明のインターフェースに相当し、外部機器としてのプリンタ９３と通信接続可能に構成されている。このようなプリンタＩＦ８の接続端子としては、ＵＳＢ（Universal Serial Bus）端子等を採用することができる。このプリンタＩＦ８は、複数のプリンタが接続可能に構成されており、本実施形態では、プリンタ９３Ａ，９３Ｂの２台のプリンタが接続されている。また、プリンタ９３Ａは、後述する範囲指定印刷および日付設定印刷を実行可能に構成され、プリンタ９３Ｂは、当該範囲指定印刷および日付設定印刷のいずれも実行不可能に構成されている。
なお、ここで言う範囲指定印刷および日付設定印刷が可能であるとは、印刷画像データとしての印刷対象の画像ファイルの画像データと、付加データとしての範囲情報または日付情報を出力するだけで、プリンタによって画像加工がなされ、範囲指定印刷または日付設定印刷が可能なことを意味する。また、範囲指定印刷および日付設定印刷が不可能であるとは、前述のような印刷画像データおよび付加データを出力しても、プリンタ側での画像加工ができないことを意味する。
【００２３】
（２）制御基板２の構成
制御基板２は、前述のように、画像編集装置１の装置本体を制御する回路基板として構成されている。また、この制御基板２は、ＨＤＤ５、および、カードスロット６を介してメモリカード９１から読み出した画像ファイルに基づく画像を編集する本発明に画像編集手段に相当する。
この制御基板２は、システムコントローラ２１、ＲＯＭ（Read Only Memory）２２、ＲＡＭ（Random Access Memory）２３、表示制御回路２４および主制御回路２５を備えて構成されている。
【００２４】
システムコントローラ２１は、後述する主制御回路２５の処理を補助するとともに、制御基板２に対する情報および信号の入出力制御を行う。具体的に、システムコントローラ２１は、操作パネル４およびリモコンＩＦ７からの操作信号を主制御回路２５に出力する。また、システムコントローラ２１は、主制御回路２５から制御信号が入力すると、カードスロット６に装着されたメモリカード９１およびＨＤＤ５に記憶された画像ファイルのデータを読み出して、当該制御信号に示された出力先に出力する。
【００２５】
ＲＯＭ２２は、フラッシュメモリで構成され、後述する主制御回路２５で処理されるプログラムや各種データが記憶されている。また、ＲＡＭ２３は、ＲＯＭ２２のプログラムやデータが主制御回路２５で処理される際に、当該プログラムおよびデータの一部または全部が、一時的に記憶される。
【００２６】
（2-1）表示制御回路２４の構成
図２は、表示制御回路２４の機能分類を示すブロック図である。
表示制御回路２４は、主制御回路２５の制御下で、ＨＤＤ５およびメモリカード９１から読み出した画像ファイルのデータを処理して、当該画像情報を画像表示部３に出力するものであり、画像表示に関する処理を行う。また、この表示制御回路２４は、主制御回路２５から入力する制御信号に基づいて、使用者に選択および設定等の入力操作を促す画面を生成し、当該画面の画像情報を画像表示部３に出力する。
この表示制御回路２４は、図２に示すように、画像情報処理部２４１、描画処理部２４２および画像合成部２４３を機能的に備えている。
【００２７】
画像情報処理部２４１は、システムコントローラ２１を介して入力する画像ファイルのデータを処理して、画像合成部２４３に出力する。この画像情報処理部２４１は、色調補正部２４１１および解像度調整部２４１２を備えている。
色調補正部２４１１は、入力する画像情報に基づく画像の画質を、使用者等により予め設定された色調等に補正する。なお、このような色調補正に用いられるデータは、ＲＯＭ２２に記憶されている。
解像度調整部２４１２は、入力する画像情報に基づく画像を拡大または縮小して、１画面内におさまるように当該画像の解像度を調整する。また、この解像度調整部２４１２は、使用者が設定した範囲の画像を拡大または縮小した画像の画像データを生成する。
【００２８】
描画処理部２４２は、主制御回路２５から入力する制御信号が示す画面を生成して、当該画面の画像情報を画像合成部２４３に出力する。この描画処理部２４２は、印刷様式選択画面生成部２４２１、印刷範囲設定画面生成部２４２２、日付入力画面生成部２４２３および出力先選択画面生成部２４２４を備えている。
このうち、印刷様式選択画面生成部２４２１は、本発明の印刷様式選択手段に相当し、画像表示部３に表示され印刷対象として設定された画像の印刷様式を、使用者に選択させる画面を生成する。ここで、印刷様式とは、画像表示部３に表示された画像をどのように印刷するかを示すものであり、本実施形態では、印刷対象に設定された画像の所定の範囲を指定して印刷する範囲指定印刷、および、画像の所定の領域に日付を重畳させて印刷する日付設定印刷等が挙げられる。
【００２９】
印刷範囲設定画面生成部２４２２は、印刷様式選択画面にて範囲指定印刷が選択された場合に、表示画像中の任意の範囲を使用者に設定させる印刷範囲設定画面を生成する。具体的には、表示画像中に矢印等で示すポインタを表示させ、当該ポインタを操作パネル４またはリモコン９２に設けられたキーパッドを操作させることによって印刷範囲を設定させる。この設定された印刷範囲は、後述する主制御回路２５によって認識される。
日付入力画面生成部２４２３は、印刷様式選択画面にて日付設定印刷が選択された場合に、印刷対象の画像に重畳させる日付を入力させる日付入力画面を生成する。なお、この日付入力画面では、初期値として、当該画像ファイルの作成日付が表示される。
出力先選択画面生成部２４２４は、プリンタＩＦ８に複数のプリンタ９３（９３Ａ，９３Ｂ）が接続されている場合に、どのプリンタに印刷情報を出力するか、すなわち、どのプリンタで印刷するかを選択させる選択画面を生成する。
【００３０】
画像合成部２４３は、画像情報処理部２４１で形成された画像と、描画処理部２４２で形成された画像とを合成し、当該合成した画像の画像情報を画像表示部３に出力する。例えば、印刷範囲設定画面においては、印刷対象となる画像は画像情報処理部２４１で形成され、印刷範囲を設定するポインタの軌跡は描画処理部２４２で形成され、画像合成部２４３によりこれらの画像が合成される。なお、画像合成部２４３による画像の合成は必ずしも行われるものではなく、画像情報処理部２４１および描画処理部２４２の少なくともいずれかからの制御信号に応答して行われる。
【００３１】
（2-2）主制御回路２５の構成
図３は、主制御回路２５の機能分類を示すブロック図である。
主制御回路２５は、制御基板２全体を制御することにより、装置全体を制御するものであり、ＣＰＵ（Central Processing Unit）等を備えて構成されている。具体的に、主制御回路２５は、図１に示すように、システムコントローラ２１を介して操作パネル４およびリモコンＩＦ７から入力する操作信号に応じて、ＲＯＭ２２に記憶されたプログラムやデータを適宜読み出して処理し、制御信号や処理済のデータをシステムコントローラ２１および表示制御回路２４等に出力する。
この主制御回路２５は、主制御部２５１、情報取得部２５２、機能判定部２５３、印刷様式設定部２５４、対応データ出力部２５５および非対応データ出力部２５６を機能的に備えている。
【００３２】
主制御部２５１は、主制御回路２５全体を制御するものであり、システムコントローラ２１から入力する操作信号、および、ＲＯＭ２２から読み出したプログラム等を処理して、主制御回路２５を構成する各機能部２５２〜２５６、システムコントローラ２１および表示制御回路２４に制御信号を出力し、これらの動作を制御する。
【００３３】
情報取得部２５２は、当該画像編集装置１に接続された外部機器の情報を取得する。この情報取得部２５２は、本実施形態では、プリンタ情報取得部２５２１および画像情報取得部２５２２を備えている。
このうち、画像情報取得部２５２２は、画像印刷時に、選択された画像ファイルの画像データを、システムコントローラ２１を介してメモリカード９１またはＨＤＤ５から取得する。取得した画像データは、対応データ出力部２５５および非対応データ出力部２５６に出力される。
【００３４】
プリンタ情報取得部２５２１は、本発明の機能種別取得手段に相当し、プリンタＩＦ８に接続されたプリンタ９３Ａ，９３Ｂの画像加工に関する印刷機能種別を取得する。
詳述すると、プリンタＩＦ８にプリンタ９３が接続されると、当該プリンタ９３の接続をシステムコントローラ２１が検出し、当該システムコントローラ２１により、主制御回路２５の主制御部２５１にプリンタ９３が接続された旨の制御信号が入力する。そして、主制御部２５１は、当該制御信号の入力に基づいて、情報取得部２５２のプリンタ情報取得部２５２１に、接続されたプリンタ９３の情報を取得させる制御信号を出力する。当該制御信号が入力したプリンタ情報取得部２５２１は、システムコントローラ２１を介してプリンタ９３と通信し、当該プリンタ９３の印刷機能種別を取得する。そして、プリンタ情報取得部２５２１は、取得したプリンタ９３の情報をＲＯＭ２２に記憶させる。
【００３５】
機能判定部２５３は、本発明の機能判定手段に相当し、プリンタ情報取得部２５２１で取得されたプリンタ９３の印刷機能種別の情報から、前述の印刷様式選択画面で選択された項目での印刷が実行可能か否かを判定する。この機能判定部２５３による判定結果に基づいて、プリンタ９３に出力する印刷画像情報を、対応データ出力部２５５および非対応データ出力部２５６のどちらで生成するかが決定される。
この機能判定部２５３は、範囲指定印刷機能判定部２５３１および日付設定印刷機能判定部２５３２を備えている。
【００３６】
範囲指定印刷機能判定部２５３１は、印刷様式選択画面で、範囲指定印刷が選択された場合に、当該範囲指定印刷をプリンタ９３で実行できるか否か、すなわち、範囲指定した画像データをプリンタ９３で生成可能か否かを判定する。具体的には、プリンタ情報取得部２５２１により取得されＲＯＭ２２に記憶されたプリンタ９３の機能種別から、当該プリンタ９３で範囲指定印刷が実行可能か否かを判定する。ここで、実行可能であると判定すると、範囲指定印刷機能判定部２５３１は、プリンタ９３に出力する印刷画像情報を生成させる生成信号を、主制御部２５１を介して対応データ出力部２５５に出力し、実行可能でないと判定すると、当該生成信号を、主制御部２５１を介して非対応データ出力部２５６に出力する。
【００３７】
日付設定印刷機能判定部２５３２は、印刷様式選択画面で、日付設定印刷が選択された場合に、当該日付設定印刷をプリンタ９３で実行できるか否か、すなわち、日付を重畳させた画像データをプリンタ９３が生成可能か否かを判定する。なお、この日付設定印刷機能判定部２５３２による判定および判定結果に応じた処理は、範囲指定印刷機能判定部２５３１と同様である。
【００３８】
印刷様式設定部２５４は、前述の印刷様式選択画面生成部２４２１とともに本発明の印刷様式選択手段に相当し、各設定画面および入力画面で設定／入力された項目を、印刷対象となる画像に対応させて設定する。具体的には、印刷様式設定部２５４は、印刷対象とされた画像ファイルに対応させてＲＡＭ２３に一時的に設定／記憶させる。この印刷様式設定部２５４は、印刷範囲設定部２５４１および日付設定部２５４２を備えている。
印刷範囲設定部２５４１は、操作パネル４およびリモコンＩＦ７を介してリモコン９２から入力する操作信号を基に、印刷範囲設定画面で設定された印刷範囲を解析して、当該印刷範囲の座標情報をＲＡＭ２３に記憶させる。
日付設定部２５４２は、日付入力画面で入力された値から、印刷対象の画像ファイルに対応させて日付をＲＡＭ２３に記憶させる。
【００３９】
対応データ出力部２５５は、本発明の対応情報出力手段に相当し、印刷様式選択画面にて選択された項目の機能が、出力先として選択されたプリンタ９３で実行可能であると機能判定部２５３に判定された場合に、印刷画像情報を生成して、当該プリンタ９３に出力する。すなわち、本実施形態では、対応データ出力部２５５は、印刷様式選択画面で範囲指定印刷または日付設定印刷が選択され、印刷情報の出力先にプリンタ９３Ａが選択されている場合に、当該プリンタ９３Ａに出力する印刷情報を生成し、当該印刷情報をプリンタ９３Ａに出力する。
この対応データ出力部２５５は、付加データ生成部２５５１およびデータ合成部２５５２を備えている。
【００４０】
付加データ生成部２５５１は、印刷様式選択画面で選択された項目の情報と、当該項目に応じた設定情報とを生成する。具体的には、印刷様式選択画面で、範囲指定印刷が選択された場合には、範囲指定印刷が選択された旨の情報と、印刷範囲設定部２５４１で設定された座標情報とを付加データとして生成する。また、日付設定印刷が選択された場合には、日付設定印刷が選択された旨の情報と、日付設定部２５４２で設定された日付情報とを付加データとして生成する。これら生成された付加データは、ＲＡＭ２３に一時的に記憶される。なお、付加データ生成部２５５１は、印刷様式選択画面で選択された項目のうち、付加データを生成する必要がない場合には、付加データの生成を行わない。
【００４１】
データ合成部２５５２は、画像情報取得部２５２２で取得された印刷対象となる画像ファイルの画像データと、付加データ生成部２５５１で生成された付加データとを合成して印刷情報を生成し、当該印刷情報をプリンタ９３Ａに出力する。なお、データ合成部２５５２は、付加データが生成されない場合は、画像データのみプリンタ９３Ａに出力する。
すなわち、付加データ生成部２５５１およびデータ合成部２５５２は、本発明の座標情報出力部に相当する。
【００４２】
非対応データ出力部２５６は、本発明の非対応情報出力手段に相当し、印刷様式選択画面にて選択された項目の機能が、出力先として選択されたプリンタ９３で実行可能でないと機能判定部２５３に判定された場合に、印刷画像情報を生成して、当該プリンタ９３に出力する。すなわち、本実施形態では、非対応データ出力部２５６は、印刷様式選択画面で範囲指定印刷または日付設定印刷が選択され、印刷情報の出力先にプリンタ９３Ｂが選択されている場合に、当該プリンタ９３Ｂに出力する印刷情報を生成し、当該印刷情報をプリンタ９３Ｂに出力する。
この非対応データ出力部２５６は、画像切出部２５６１および出力データ生成部２５６２を備えている。
【００４３】
画像切出部２５６１は、印刷対象に設定された画像ファイルに基づく画像における印刷範囲設定部２５４１で設定された印刷範囲の画像を切り出して、当該画像の画像データをＲＡＭ２３に一時的に記憶させる。
出力データ生成部２５６２は、画像切出部２５６１で切り出された画像の画像データのサイズを、元の画像データのサイズと略同じとなるように調整して、印刷情報としてプリンタ９３Ｂに出力する。また、出力データ生成部２５６２は、日付設定印刷が選択されている場合に、日付設定部２５４２で設定された日付情報を、プリンタ９３Ｂに出力する画像データに基づく画像における所定位置に重畳させた画像データを生成し、当該画像データを印刷情報としてプリンタ９３Ｂに出力する。
すなわち、画像切出部２５６１および出力データ生成部２５６２が、本発明の印刷範囲画像出力部に相当する。
【００４４】
（３）印刷処理Ｓ
図４および図５は、画像編集装置１における印刷処理Ｓの処理フローを示す図である。
画像編集装置１における印刷処理Ｓは、ＨＤＤ５またはメモリカード９１に記憶された画像ファイルに基づく画像が画像表示部３に表示された状態、すなわち、印刷対象の画像が設定された状態で、操作パネル４またはリモコン９２の印刷キーが入力されると、主制御回路２５の主制御部２５１によりＲＯＭ２２に記憶された画像編集プログラムとしての印刷プログラムが読み込まれ、当該印刷プログラムに則って処理が開始される。
なお、本実施形態では、当該印刷プログラムはＲＯＭ２２に記憶されているとしたが、メモリカード９１またはＨＤＤ５に読出し可能に記憶されている構成としてもよい。
【００４５】
すなわち、印刷処理Ｓでは、図４に示すように、操作パネル４またはリモコン９２の印刷キーが入力されると（処理Ｓ９１）、操作パネル４の印刷キーの場合は、当該操作パネル４から印刷キーの入力に応じた操作信号が、また、リモコン９２の印刷キーの場合は、当該印刷キーの入力に応じた赤外線信号が送信され、リモコンＩＦ７により当該赤外線信号に応じた操作信号が、システムコントローラ２１を介して主制御回路２５の主制御部２５１に入力する。当該操作信号が入力した主制御部２５１は、表示制御回路２４に制御信号を出力し、表示制御回路２４の描画処理部２４２を構成する印刷様式選択画面生成部２４２１により、印刷様式選択画面を生成させ、画像表示部３に表示させる（印刷様式選択ステップＳ０１）。
【００４６】
印刷様式選択ステップＳ０１により表示された印刷様式選択画面にて、使用者が操作パネル４またはリモコン９２の入力操作により、表示された印刷様式の項目を選択すると（処理Ｓ９２）、当該入力操作に応じた操作信号から、主制御部２５１は、範囲指定印刷が選択されたか否かを判定する（処理Ｓ０２）。
ここで、範囲指定印刷が選択されていないと判定した場合、主制御部２５１は、後述する処理Ｓ０５に移行する。
【００４７】
一方、範囲指定印刷が選択されたと判定した場合、主制御部２５１は、表示制御回路２４に制御信号を出力し、当該表示制御回路２４の描画処理部２４２を構成する印刷範囲設定画面生成部２４２２により、印刷範囲を設定させる印刷範囲設定画面を生成、表示させる（処理Ｓ０３）。
この印刷範囲設定画面にて、使用者により印刷範囲が設定されると（処理Ｓ９３）、主制御部２５１は、入力する操作信号を印刷様式設定部２５４の印刷範囲設定部２５４１に印刷範囲設定信号とともに出力する。この印刷範囲設定部２５４１は、入力する操作信号から、使用者が設定した印刷範囲を解析して、当該印刷範囲の座標情報をＲＡＭ２３に一時的に記憶させ、印刷範囲を設定する（処理Ｓ０４）。
【００４８】
この後、主制御部２５１は、印刷様式選択画面にて、日付設定印刷が選択されたか否かを判定する（処理Ｓ０５）。
ここで、日付設定印刷が選択されていないと判定した場合、主制御部２５１は、後述する処理Ｓ０８に移行する。
【００４９】
一方、日付設定印刷が選択されたと判定した場合、主制御部２５１は、表示制御回路２４に制御信号を出力し、描画処理部２４２を構成する日付入力画面生成部２４２３により、日付を入力させる日付入力画面を生成、表示させる（処理Ｓ０６）。
この日付入力画面にて、使用者が操作パネル４またはリモコン９２の操作により日付を入力すると（処理Ｓ９４）、主制御部２５１は、印刷様式設定部２５４の日付設定部２５４２に、入力した操作信号および日付設定信号を出力する。そして、日付設定部２５４２は、当該操作信号に基づいて使用者が設定した日付を日付情報としてＲＡＭ２３に一時的に記憶させ、日付を設定する（処理Ｓ０７）。
【００５０】
この後、主制御部２５１は、システムコントローラ２１から入力する状態信号に基づいて、プリンタＩＦ８に複数のプリンタ９３が接続されているか否かを判定し（処理Ｓ０８）、１台のプリンタしか接続されていないと判定した場合、処理Ｓ１０に移行する。
また、複数のプリンタ９３が接続されていると判定した場合、主制御部２５１は、表示制御回路２４に制御信号を出力し、表示制御回路２４の描画処理部２４２の出力先選択画面生成部２４２４は、接続されたプリンタのうち、印刷情報の出力先としていずれかのプリンタを選択させる出力先選択画面を生成させ、画像表示部３に表示させる（処理Ｓ０９）。
【００５１】
出力先選択画面にて、使用者が出力先を選択すると（処理Ｓ９５）、主制御部２５１は、選択されたプリンタ９３を出力先プリンタとして、当該プリンタ９３が接続されたポート番号をＲＡＭ２３に記憶、設定する（処理Ｓ１０）。また、処理Ｓ０８にて、１台のプリンタのみ接続されていると判定された場合には、当該接続されたプリンタ９３を出力先プリンタとして、当該プリンタが接続されたポート番号をＲＡＭ２３に記憶、設定する（処理Ｓ１０）。
【００５２】
処理Ｓ１０の後、主制御回路２５の主制御部２５１は、図５に示すように、情報取得部２５２のプリンタ情報取得部２５２１に制御信号を出力し、当該プリンタ情報取得部２５２１は、出力先プリンタとして設定されたプリンタと通信して、当該プリンタの印刷機能種別を取得する（機能種別取得ステップＳ１１）。ここで、プリンタ情報取得部２５２１は、取得した出力先プリンタの印刷機能種別をＲＯＭ２２に記憶させる。これにより、一度接続されたプリンタの印刷機能種別を印刷処理ごとに取得する必要がなくなるので、処理を簡略化することができる。
【００５３】
この機能種別取得ステップＳ１１の後、主制御部２５１は、印刷様式選択画面にて範囲指定印刷が選択されたか否かを再度判定する（処理Ｓ１２）。
ここで、範囲指定印刷が選択されていないと判定した場合、主制御部２５１は、情報取得部２５２の画像情報取得部２５２２、および、非対応データ出力部２５６の画像切出部２５６１に制御信号を出力し、画像データを印刷情報として設定する（処理Ｓ１３）。
具体的には、制御信号が入力した画像情報取得部２５２２は、印刷対象として設定された画像ファイルの画像データをシステムコントローラ２１を介して、ＨＤＤ５またはメモリカード９１から取得して、当該画像データを画像切出部２５６１に出力する。ここで、画像切出部２５６１は、印刷範囲が設定されていないので、入力する画像データそのものを印刷情報として設定し、ＲＡＭ２３に一時的に記憶する。この後、主制御部２５１は、処理Ｓ１７に移行する。
【００５４】
一方、処理Ｓ１２の判定により、範囲指定印刷が選択されたと判定した場合、主制御部２５１は、機能判定部２５３の範囲指定印刷機能判定部２５３１に制御信号を出力し、当該範囲指定印刷機能制御部２５３１は、ＲＯＭ２２に記憶された出力先プリンタの印刷機能種別から、当該出力先プリンタが範囲指定印刷機能を有しているか否かを判定する（機能判定ステップＳ１４）。
【００５５】
ここで、範囲指定印刷機能を有していると判定すると、主制御部２５１は、画像情報取得部２５２２に制御信号を出力して、印刷対象とされた画像ファイルの画像データを取得するとともに、対応データ出力部２５５の付加データ生成部２５５１に制御信号を出力して、処理Ｓ０４にて設定された印刷範囲の座標情報から付加データを生成する。この後、データ合成部２５５２は、取得した画像データと生成した付加データとを合成して印刷情報を生成し、当該印刷情報をＲＡＭ２３に一時的に記憶させる（対応情報出力ステップＳ１５）。この後、主制御部２５１は、処理Ｓ１７に移行する。
【００５６】
また、処理Ｓ１４で、出力先プリンタが範囲指定印刷機能を有していないと判定すると、主制御部２５１は、画像情報取得部２５２２により印刷対象の画像データを取得させるとともに、画像切出部２５６１に制御信号を出力する。ここで、画像切出部２５６１は、処理Ｓ０４により印刷範囲が設定されているので、ＲＡＭ２３に記憶された印刷範囲を示す座標情報から、当該座標情報が示す範囲の画像を切り出し、当該画像の画像データを印刷情報としてＲＡＭ２３に一時的に記憶する（非対応情報出力ステップＳ１６）。すなわち、この印刷情報が、本発明の編集済印刷画像情報に相当する。この後、主制御部２５１は、処理Ｓ１７に移行する。
【００５７】
処理Ｓ１３，Ｓ１５，Ｓ１６の後、主制御部２５１は、印刷様式選択画面にて、日付設定印刷が選択されたか否かを再度判定する（処理Ｓ１７）。ここで、日付設定印刷が選択されていないと判定した場合、主制御部２５１は、処理Ｓ２１に移行する。
また、日付設定印刷が選択されたと判定した場合、主制御部２５１は、機能判定部２５３の日付設定印刷機能判定部２５３２に制御信号を出力し、当該日付設定印刷機能判定部２５３２により出力先プリンタが日付設定印刷機能を有しているか否かを判定させる（機能判定ステップＳ１８）。なお、この日付設定印刷機能判定部２５３２により日付設定印刷機能の有無判定は、ＲＯＭ２２に記憶された出力先プリンタの機能種別から判定される。
【００５８】
ここで、日付設定印刷機能判定部２５３２が、日付設定印刷機能を有していると判定した場合、主制御部２５１は、付加データ生成部２５５１に制御信号を出力し、日付設定印刷を有効とする情報、および、処理Ｓ０７で設定された日付情報を基にした付加データを生成し、前述の処理Ｓ１３，Ｓ１５，Ｓ１６のいずれかで生成した印刷情報に当該付加データを付加する（対応情報出力ステップＳ１９）。この後、主制御部２５１は、処理Ｓ２１に移行する。
【００５９】
一方、日付設定印刷機能判定部２５３２が、日付設定印刷機能を有していないと判定した場合、主制御部２５１は、非対応データ出力部２５６の出力データ生成部２５６２に制御信号を出力し、処理Ｓ１３，Ｓ１５，Ｓ１６のいずれかで生成した印刷情報を加工する（非対応情報出力ステップＳ２０）。具体的には、出力データ生成部２５６２は、処理Ｓ１３，Ｓ１５，Ｓ１６のいずれかで生成した印刷情報のうち、画像データに基づく画像の所定領域に、処理Ｓ０７で設定された日付が重畳する画像を加工して生成し、当該画像の画像データを含む印刷情報をＲＡＭ２３に一時的に記憶させる。すなわち、この印刷情報が、前述のように、本発明の編集済印刷画像情報に相当する。この後、主制御部２５１は、処理Ｓ２１に移行する。
【００６０】
これらの後、ＲＡＭ２３に記憶された印刷情報を出力先プリンタに出力する（対応情報出力ステップおよび非対応情報出力ステップＳ２１）。具体的に、主制御部２５１は、処理Ｓ１９から移行してきた場合には、対応データ出力部２５５のデータ合成部２５５２に制御信号を出力し、当該データ合成部２５５２は、ＲＡＭ２３に記憶された印刷情報を出力先プリンタに出力する。また、処理Ｓ１７またはＳ２０から移行してきた場合には、主制御部２５１は、出力データ生成部２５６２に制御信号を出力し、ＲＡＭ２３に記憶された印刷情報を出力先プリンタに出力する。
以上により、画像編集装置１における印刷処理Ｓが完了する。
【００６１】
以上のような本実施形態の画像編集装置１によれば、出力先のプリンタの印刷機能を補うようにして、当該プリンタでは実現できない機能を擬似的に実行することができる。
すなわち、印刷様式選択画面で範囲指定印刷または日付設定印刷が選択された場合に、情報取得部２５２のプリンタ情報取得部２５２１が出力先に設定されたプリンタ９３の機能種別を取得し、機能判定部２５３の範囲指定印刷機能判定部２５３１および日付設定印刷機能判定部２５３２が、出力先のプリンタで範囲指定印刷および日付設定印刷が可能か否かを判定する。そして、範囲指定印刷および日付設定印刷が出力先プリンタで実行可能であれば、画像データに付加データを付加した印刷情報を生成出力する。また、可能でなければ、画像データを編集加工して指定範囲の画像の切出、および、日付の設定を行った画像データを生成し、当該画像データを印刷情報として出力先プリンタに出力する。
【００６２】
これによれば、範囲指定印刷および日付設定印刷を実行できないプリンタに対しても、実行可能なプリンタで行われる画像加工を画像編集装置１で行うことにより、出力先プリンタで実行できない機能を擬似的に実行することができる。従って、プリンタの機能を補った印刷を行うことができる。
また、プリンタ側で実行できる機能においては、画像データに付加データを付加した印刷情報を出力先プリンタに出力することにより、印刷対象となる画像ファイルの画像処理を行う必要を無くすことができる。従って、印刷処理Ｓを簡略化することができる。
【００６３】
（４）実施形態の変形
本発明を実施するための最良の構成などは、以上の記載で開示されているが、本発明はこれに限定されるものではない。すなわち、上記に開示した形状、材質などを限定した記載は、本発明の理解を容易にするために例示的に記載したものであり、本発明を限定するものではない。
前記実施形態では、印刷様式として、範囲指定印刷および日付設定印刷を選択可能な項目として挙げたが、本発明はこれらに限定されるものではない。例えば、インデックス印刷等を選択項目として挙げてもよい。このような場合、出力先プリンタがインデックス印刷機能を有していない場合には、非対応データ出力部２５６の出力データ生成部２５６２が選択された複数の画像のインデックス画像を生成して、当該インデックス画像の画像データを出力先プリンタに出力するように構成すればよい。
【００６４】
前記実施形態では、画像編集装置１は、画像表示部３を有する構成としたが、本発明はこれに限らず、例えば、タブレット上で印刷範囲等を設定する構成としてもよい。なお、画像表示部３を備える構成とすれば、使用者が画像を確認しながら範囲指定等を行うことができる。
【００６５】
前記実施形態では、印刷処理Ｓを実行する印刷キーが入力された後、印刷範囲の設定等を実行したが、本発明はこれに限らない。すなわち、画像の拡大／縮小等の画像編集操作を行った後、印刷キーが入力された場合には、表示領域を印刷範囲とすることにより、前述の印刷処理Ｓにおける処理Ｓ０２，Ｓ０３を省略可能である。この場合、印刷範囲を改めて処理Ｓ０４にて設定すればよい。
【００６６】
前記実施形態では、液晶パネルを有する画像表示部を備えた画像編集装置１を挙げたが、本発明はこれに限らない。すなわち、他の構成の画像表示部を備えた画像編集装置に本発明を採用してもよい。このような画像編集装置として、例えば、プラズマディスプレイ、ＣＲＴ（Cathode-Ray Tube）ディスプレイ、プロジェクタ等を挙げることができる。
また、プロジェクタとしては、スクリーンを観察する方向から投射を行なうフロントタイプのプロジェクタだけでなく、スクリーンを観察する方向とは反対側から投射を行なうリアタイプのプロジェクタにも適用可能である。
さらに、このようなプロジェクタは、光源からの光束を画像情報に応じて変調して光学像を形成する光変調装置を備えた構成としてもよい。このような光変調装置として、液晶パネル、ＩＬＡ（Image Light Amplifier）素子を用いたデバイス、ＤＭＤ（Digital Micromirror Device）およびＧＬＶ（Grating Light Valve）等を例示することができる。また、光変調装置を設けずに、画像情報に応じてレーザ光を射出するレーザ発振器と、当該レーザ発振器から射出されたレーザ光でスクリーンの縦方向および横方向に走査させて画像を形成する２つのカルバノミラーとを備えたレーザプロジェクタに、本発明を採用してもよい。
【産業上の利用可能性】
【００６７】
本発明は、入力する画像を編集可能に構成され、当該編集した画像を接続されたプリンタに出力可能に構成された画像編集装置に利用でき、例えば、デジタルカメラやメモリリーダ等にも利用することができる。
【図面の簡単な説明】
【００６８】
【図１】本発明の一実施形態に係る画像編集装置の構成を示すブロック図。
【図２】前記実施形態における表示制御回路の機能分類を示すブロック図。
【図３】前記実施形態における主制御回路の機能分類を示すブロック図。
【図４】前記実施形態における印刷処理の処理フローを示す図。
【図５】前記実施形態における印刷処理の処理フローを示す図。
【符号の説明】
【００６９】
１…画像編集装置、２…制御基板（画像編集手段）、３…画像表示部（画像表示手段）、２５２…情報取得部（機能種別取得手段）、２５３…機能判定部（機能判定手段）、２５４…印刷様式設定部（印刷様式選択手段）、２５５…対応データ出力部（対応情報出力手段）、２５６…非対応データ出力部（非対応情報出力手段）、２４２１…印刷様式選択画面生成部（印刷様式選択手段）、２５３１…範囲指定印刷機能判定部、２５４１…印刷範囲設定部、２５５１…付加データ生成部（座標情報出力部）、２５５２…データ合成部（座標情報出力部）、２５６１…画像切出部（印刷範囲画像出力部）、２５６２…出力データ生成部（印刷範囲画像出力部）、Ｓ０１…印刷様式選択ステップ、Ｓ１１…機能種別取得ステップ、Ｓ１４，Ｓ１８…機能判定ステップ、Ｓ１５，Ｓ１９，Ｓ２１…対応情報出力ステップ、Ｓ１６，Ｓ２０，Ｓ２１…非対応情報出力ステップ。
【図１】
2007011976.tif 000003
【図２】
2007011976.tif 000004
【図３】
2007011976.tif 000005
【図４】
2007011976.tif 000006
【図５】
2007011976.tif 000007